(57)【特許請求の範囲】
【請求項１】
下記の構成要件（Ａ01）〜（Ａ05）を備えたことを特徴とするデジタル複写機、
（Ａ01）原稿給紙トレイにセットされた原稿を取出して自動搬送原稿複写位置を通過させながら搬送する自動原稿搬送装置、
（Ａ02）プラテンガラス上にセットされた原稿および前記自動搬送原稿複写位置を通過する原稿を読取る原稿読取装置、
（Ａ03）前記原稿読取装置で読取った画像データを原稿画像メモリに書込むデータ入力手段および前記原稿画像メモリから読出した原稿画像データを像形成装置に出力するデータ出力手段を有する画像処理回路、
（Ａ04）前記プラテンガラス上にセットされた原稿を副走査方向に移動しながら読み取るプラテンモードおよび前記自動搬送原稿複写位置を通過する原稿を停止状態で読み取るＣＶＴモードのいずれかで前記原稿読取装置を作動させる走査光学系制御装置、
（Ａ05）前記プラテンモードで原稿読取装置が読取った原稿１枚分の原稿画像データを副走査方向に反転させて前記像形成装置に出力する前記画像処理回路。
【請求項２】
下記の構成要件（Ａ01）〜（Ａ04），（Ａ06），（Ａ07）を備えたことを特徴とするデジタル複写機、
（Ａ01）原稿給紙トレイにセットされた原稿を取出して自動搬送原稿複写位置を通過させながら搬送する自動原稿搬送装置、
（Ａ02）プラテンガラス上にセットされた原稿および前記自動搬送原稿複写位置を通過する原稿を読取る原稿読取装置、
（Ａ03）前記原稿読取装置で読取った画像データを原稿画像メモリに書込むデータ入力手段および前記原稿画像メモリから読出した原稿画像データを像形成装置に出力するデータ出力手段を有する画像処理回路、
（Ａ04）前記プラテンガラス上にセットされた原稿を副走査方向に移動しながら読み取るプラテンモードおよび前記自動搬送原稿複写位置を通過する原稿を停止状態で読み取るＣＶＴモードのいずれかで前記原稿読取装置を作動させる走査光学系制御装置、
（Ａ06）原稿給紙トレイ上にセットされたＣＶＴモード用の原稿およびプラテンガラス上にセットされたプラテンモード用の原稿の上端がプラテンガラスの後端または左端のいずれに対応して配置されたかを入力する原稿上端位置入力キー、
（Ａ07）ＣＶＴモードおよびプラテンモードの両モードでの原稿および前記原稿の複写用紙サイズが同一の場合に、プラテンモードにおいて前記原稿画像メモリから読出す原稿画像データの読出し順序が、ＣＶＴモードにおける前記原稿画像メモリから原稿画像データを読出す順序と同一となるように前記データ入力手段の書込アドレスおよび前記データ出力手段の読出アドレスが前記原稿の上端位置に応じて設定された前記画像処理回路。
【発明の詳細な説明】
【０００１】
【発明の属する技術分野】
本発明は、複写機本体上面のプラテンガラス上に自動原稿搬送装置が設置されたデジタル複写機に関し、特に、前記プラテンガラス上面の原稿読取位置を一定速度で通過させながら複写用の原稿を読取るＣＶＴモードおよびプラテンガラス上に置かれた原稿を読取るプラテンモードを有するデジタル複写機に関する。
【０００２】
【従来の技術】
最近、複写機が高速化および自動化するにつれて、原稿給紙トレイの複数枚の原稿を順次取り出して、プラテンガラス上面の原稿複写位置に供給する複写機用自動原稿搬送装置が使用されるようになってきた。
この種の複写機用自動原稿搬送装置において、スリット状に形成された固定露光位置に露光光学系が停止した状態で、原稿を、一定速度で前記露光位置を通過させながら搬送して、原稿の読取りを行う、ＣＶＴ方式（すなわち、原稿移動型露光方式）のものが知られている。
【０００３】
前記ＣＶＴ方式（原稿移動型露光方式）を採用した複写機用自動原稿搬送装置を備えたデジタル複写機において、プラテンガラス上に操作者が手で置いた原稿（手置き原稿）を複写するプラテンモードの場合と、ＣＶＴモード（自動原稿読取モード）の場合とでは原稿の走査方法が異なってくる。これについて次に説明する。
図１６はプラテンガラスＡと原稿Ｇの説明図である。
図１６において、プラテンガラスＡの下方に配置されたイメージセンサ（原稿読取センサ）の主走査方向はＦＳ、副走査方向はＳＳで示されている。また、原稿Ｇの上端はＧ１で示され、左端はＧ２で示されている。そして、原稿Ｇの画像エリアが１〜１２に分割して示されており、前記図１６の実線で示す横向き状態の原稿Ｇを上下反転（原稿の画像は左右反転）して裏返した状態は前記画像エリア１〜１２が点線で分割して示されている。
【０００４】
図１７は主走査方向ＦＳに原稿Ｇの上端Ｇ１を合わせた場合のプラテンモードでの原稿走査方法を示す図である。
図１７において、プラテンガラスＡ上に置かれた原稿Ｇの複写しようとする画像エリア１〜１２は下方に向けられているので点線で分割して示されている。前記プラテンガラスＡ下方に配置された図示しない露光走査装置は、プラテンモードの場合には、主走査方向ＦＳに主走査しながら副走査方向ＳＳに移動して画像エリア１〜１２を読取る。この場合に読み取った画像エリア１〜１２の画像データは図１７の画像メモリＭ上にＦＳ，ＳＳで示す順序で書き込まれる。
この画像メモリＭに記憶された画像を読み出して複写用紙に記録する場合の前記画像メモリＭからの画像データの読出は図１７の矢印ＦＳ′（主走査方向）およびＳＳ′（副走査方向）の方向に行われる。
【０００５】
図１８はＣＶＴモードにおいて、原稿Ｇの上端Ｇ１を先頭にして原稿を搬送しながら原稿Ｇを読み取る際の原稿走査方法の説明図であり、図１８ＡはプラテンガラスＡと原稿Ｇの説明図で、図１８ＢはＣＶＴモードにおいて前記図１７に示すプラテンモードと同様の走査順序でイメージセンサを駆動して原稿Ｇの画像エリア１〜１２を読み取ってメモリＭに記憶し、メモリＭからの画像データの読出しを前記図１７に示すプラテンモードの場合と同様に行った場合に形成される画像の説明図である。なお図１８Ｂにおいて、メモリＭへのデータの書込順序は主走査方向がＦＳ、副走査方向がＳＳで示され、また、メモリＭからの画像データの読出順序は主走査方向がＦＳ′、副走査方向がＳＳ′で示されている。
図１７Ｂと図１８Ｂとを比較して分かるように、図１８ＢのメモリＭに記憶されたデータの読出は、前記図１７に示すプラテンモードの場合と主走査方向ＦＳ′のデータ（原稿画面の左右のデータ）が逆に読出されることになる。これは、原稿読取時の画像面の主走査方向が前記プラテンモードの場合と逆になるからである。したがって、図１８Ｂに示すＣＶＴモードの場合のメモリＭからの画像データの読出を前記図１７に示すプラテンモードの場合と同様に行うと、複写紙に形成される複写画像は、左右反転した向きになる。
【０００６】
そこで、前記プラテンモードおよびＣＶＴモードのいずれの場合も複写用紙が同じ向きで排出されるようにした従来技術として次の（Ｊ０１）の技術が知られている。
（Ｊ０１）特開昭６３−４２２８０号公報記載の技術
この公報にはＣＶＴモードにおいて、原稿の上端が原稿搬送方向先端となるようにセットし、その原稿を搬送しながら反転させて原稿の上端を先頭にして読取部に搬送している。そして、原稿を主走査する方向をプラテンモードの場合と逆にする技術が記載されている。
図１９は（Ｊ０１）に記載された走査方法、すなわち、ＣＶＴモードにおいて前記図１７に示すプラテンモードの場合と同一の向きの画像が複写用紙に形成される場合の走査方法の説明図である。
図１９に示すように、ＣＶＴモードにおける原稿読取時の主走査方向（イメージセンサの読取方向）ＦＳを逆方向に設定することにより、前記図１７に示すプラテンモードの場合と同様の順序ＦＳ、ＳＳで原稿Ｇの画像エリア１〜１２を読み取ることとなり、メモリＭに記憶される画像データは前記図１７の場合と同様になる。この場合、画像形成時に図１９に示すメモリＭからの画像データの読出ＦＳ′、ＳＳ′を前記図１７に示すプラテンモードの場合と同様に行えば、プラテンモードと全く同じ向きの画像を形成することができる。
このＣＶＴモードの場合には、画像形成装置の定着装置から排紙トレイに排出される複写用紙の画像の向きもプラテンモードの場合と同一となる。
【０００７】
【発明が解決しようとする課題】
（前記（Ｊ０１）の問題点）
前記（Ｊ０１）の方法は原稿上端を主走査方向に一致させて原稿の上端から下端に向けて副走査を行う場合には適している。しかしながら、この方法では、プラテンモードで原稿右端を主走査方向に一致させて原稿右端から左端に向けて副走査する場合には、プラテンモードとＣＶＴモードの複写用紙の画像の向きが異なって排出されることになる。これについて図２０〜２２により説明する。
図２０はプラテンガラスＡと原稿Ｇの説明図である。図２１は主走査方向ＦＳに原稿Ｇの右端を合わせた場合のプラテンモードでの原稿走査方法を示す図である。図２２は原稿Ｇの左端Ｇ２を先頭にして原稿Ｇを搬送する場合のＣＶＴモードでの原稿走査方法の説明図で、図２２Ａは原稿給紙トレイ上の原稿Ｇの搬送方向ＹとプラテンガラスＡの位置関係を示す図で、図２２ＢはプラテンガラスＡ上の原稿Ｇの搬送方向Ｙを示す図であり図２２Ａに示す原稿Ｇが画像面をプラテンガラスＡに向けた状態で搬送される状態を示す図である。
図２０において、原稿Ｇの表面を正常な位置で見た場合の原稿Ｇの画像エリアは実線で区分けして示しているが、原稿Ｇを裏返した状態の画像エリアは点線で区分けして示している。
【０００８】
図２１のプラテンモードでの原稿画像読取方法で原稿画像を読み取った場合のメモリＭ上の画像データと、図２２のＣＶＴモードでの原稿画像読取方法で原稿画像を読み取った場合のメモリＭ上の画像データとは、図２１と図２２Ｂとを比較して分かるように、１８０°回転（ローテーション）している。このため、図２２Ｂに示すＣＶＴモードで読み取ってメモリＭに記憶された画像データを図２１のプラテンモードと同様に読出して画像形成を行うと、定着装置から排紙トレイに排出される複写用紙に形成された複写画像は、図２１のプラテンモードの場合に比べて１８０°回転（ローテーション）した状態となってしまう。
一般的には前記プラテンモードおよびＣＶＴモードのいずれの場合も複写用紙が同じ向きで排出される方が違和感がなく、望ましい。
図２１および図２２ＢのメモリＭに記憶された画像データを比較して分かるように、前記排紙トレイに排出される複写用紙に形成された複写画像の向きを前記プラテンモードおよびＣＶＴモードで一致させるためには、ＣＶＴモードの図２２ＢのメモリＭに記憶された画像データの読出をＦＳ′およびＳＳ′の方向に読み出せば良い。
【０００９】
一般的に現在の印刷物の多くはＡ４縦のものが多く、用紙を縦向きにして使用されている。このような縦向きの原稿Ｇを搬送しながら複写を行う場合、原稿の長手方向に搬送すると搬送距離が長くなり、原稿の短手方向（長手方向に垂直な方向）に搬送する場合に比べて複写スピードが低下する。したがって、自動原稿搬送装置を使用する場合、Ｂ５原稿および使用頻度の多いＡ４原稿の場合は、原稿を縦置きにして搬送方向を短手方向にセットすることが多くなってきている。したがって、ＣＶＴモードにおいて原稿を短手方向に搬送した場合とプラテンモードとで複写用紙に形成された画像の向きが同じ方向になることが好ましい。
【００１０】
前述のように、ＣＶＴモードおよびプラテンモードで複写用紙の画像の向きを同じ方向にして排出するためには、ＩＩＴ（イメージインプットターミナル）で読み取った画像データを、ＩＰＳ（イメージプロセッシングシステム）で編集してＩＯＴ（イメージアウトプットターミナル）に出力する必要がある。
前記排出される複写用紙の画像の向きを同一にする場合、プラテンモードを基準とする方法とＣＶＴモードを基準とする方法が考えられる。
しかしながら、複写に際して使用されるのはプラテンモードよりもＣＶＴモードの方が多い。しかも、プラテンモードよりもＣＶＴモードの方が高速の画像出力が行われる。したがって、使用頻度が多く高速な画像出力が行われるＣＶＴモードにおいて、画像テータの編集をすることは複写物の生産性の向上にとって好ましくない。
【００１１】
本発明は前述の問題点に鑑み、下記の記載内容を課題とする。
（Ｏ０１）ＣＶＴモードおよびプラテンモードを有するデジタル複写機において、ＣＶＴモードで原稿を縦にセットして横送りした場合およびプラテンモードで原稿を縦置き（原稿右端を主走査方向に揃える置き方）した場合のいずれの場合にも、複写用紙の向きが同じ向きで排出されるようにすること。
（Ｏ０２）使用頻度の多いＣＶＴモードでの画像データの編集作業を少なくして、複写物の生産性の低下を防止すること。
【００１２】
【課題を解決するための手段】
前記課題を解決するために、本発明のデジタル複写機は、次に説明する構成を備えている。なお、本発明の説明において、後述の実施例の構成要素との対応が容易に分かるようにするため、本発明の構成要素には、対応する実施例の構成要素の符号と同一の符号をカッコで囲んで記載する。なお、本発明の構成要素に付された前記カッコ付の符号は、本発明の理解を容易にするために参照されるべきものであって、本発明を実施例に限定して解釈するために参照されるべきものではない。
【００１３】
前記課題を解決するために、本発明のデジタル複写機（Ｆ）は、下記の構成要件（Ａ０１）〜（Ａ０５）を備えたことを特徴とする。
（Ａ０１）原稿給紙トレイ（２６）にセットされた原稿（Ｇ）を取出して原稿自動読取位置（Ａ１）を一定速度で通過させながら搬送する自動原稿搬送装置（Ｆ２）、
（Ａ０２）プラテンガラス（Ａ）上にセットされた原稿（Ｇ）および前記原稿自動読取位置（Ａ１）を通過する原稿（Ｇ）を読取る原稿読取装置（ＩＩＴ）、
（Ａ０３）前記原稿読取装置（ＩＩＴ）で読取った画像データを原稿画像メモリ（Ｍ）に書込むデータ入力手段（４）および前記原稿画像メモリ（Ｍ）から読出した原稿画像データを像形成装置に出力するデータ出力手段（６）を有する画像処理回路（ＩＰＳ）、
（Ａ０４）前記プラテンガラス（Ａ）上にセットされた原稿（Ｇ）を副走査方向に移動しながら読み取るプラテンモードおよび前記原稿自動読取位置（Ａ１）を通過する原稿（Ｇ）を停止状態で読み取るＣＶＴモードのいずれかで前記原稿読取装置（ＩＩＴ）を作動させる走査光学系制御装置（Ｃ２）、
（Ａ０５）前記プラテンモードで原稿読取装置（ＩＩＴ）が読取った原稿１枚分の原稿画像データを副走査方向に反転させて前記像形成装置（８〜１１＋ＲＯＳ）に出力する前記画像処理回路（ＩＰＳ）。
【００１４】
（第２発明）
また、本出願の第２発明のデジタル複写機（Ｆ）は、下記の構成要件（Ａ01）〜（Ａ04），（Ａ06），（Ａ07）を備えたことを特徴とする、
（Ａ01）原稿給紙トレイ（２６）にセットされた原稿（Ｇ）を取出して原稿自動読取位置（Ａ1）を一定速度で通過させながら搬送する自動原稿搬送装置（Ｆ2）、
（Ａ02）プラテンガラス（Ａ）上にセットされた原稿（Ｇ）および前記原稿自動読取位置（Ａ1）を通過する原稿（Ｇ）を読取る原稿読取装置（ＩＩＴ）、
（Ａ03）前記原稿読取装置（ＩＩＴ）で読取った画像データを原稿画像メモリ（Ｍ）に書込むデータ入力手段（４）および前記原稿画像メモリ（Ｍ）から読出した原稿画像データを像形成装置に出力するデータ出力手段（６）を有する画像処理回路（ＩＰＳ）、
（Ａ04）前記プラテンガラス（Ａ）上にセットされた原稿（Ｇ）を副走査方向に移動しながら読み取るプラテンモードおよび前記原稿自動読取位置（Ａ1）を通過する原稿（Ｇ）を停止状態で読み取るＣＶＴモードのいずれかで前記原稿読取装置（ＩＩＴ）を作動させる走査光学系制御装置（Ｃ2）、
（Ａ06）原稿給紙トレイ（２６）上にセットされたＣＶＴモード用の原稿（Ｇ）およびプラテンガラス（Ａ）上にセットされたプラテンモード用の原稿（Ｇ）の上端がプラテンガラス（Ａ）の後端または左端のいずれに対応して配置されたかを入力する原稿上端位置入力キー（３９）、
（Ａ07）ＣＶＴモードおよびプラテンモードの両モードでの原稿（Ｇ）および前記原稿（Ｇ）の複写用紙サイズが同一の場合に、プラテンモードにおいて前記原稿画像メモリ（Ｍ）から読出す原稿画像データの読出し順序が、ＣＶＴモードにおける前記原稿画像メモリ（Ｍ）から原稿画像データを読出す順序と同一となるように前記データ入力手段（４）の書込アドレスおよび前記データ出力手段（６）の読出アドレスが前記原稿の上端位置に応じて設定された前記画像処理回路（ＩＰＳ）。
【００１５】
【作用】
次に、前述の特徴を備えた本発明の作用を説明する。
（第１発明の作用）
前述の特徴を備えた本発明のデジタル複写機（Ｆ）では、自動原稿搬送装置（Ｆ２）は、原稿給紙トレイ（２６）にセットされた原稿（Ｇ）を取出して原稿自動読取位置（Ａ１）を通過させながら搬送する。
走査光学系制御装置（Ｃ２）は、プラテンモードでは、前記プラテンガラス（Ａ）上にセットされた原稿（Ｇ）を副走査方向に移動しながら読み取り、またＣＶＴモードでは、前記原稿自動読取位置（Ａ１）を通過する原稿（Ｇ）を停止状態で読み取るように、前記原稿読取装置（ＩＩＴ）を作動させる。
原稿読取装置（ＩＩＴ）は、プラテンガラス（Ａ）下方に配置されて前記プラテンガラス（Ａ）上にセットされた原稿（Ｇ）および前記原稿自動読取位置（Ａ１）を通過する原稿（Ｇ）を読取る。画像処理回路（ＩＰＳ）のデータ入力手段（４）は、前記原稿読取装置（ＩＩＴ）で読取った画像データを原稿画像メモリ（Ｍ）に書込む。また、画像処理回路（ＩＰＳ）のデータ出力手段（６）は、前記原稿画像メモリ（Ｍ）から読出した原稿画像データをトナー像形成装置（８〜１１＋ＲＯＳ）に出力する。
また、画像処理回路（ＩＰＳ）は、前記プラテンモードで原稿読取装置（ＩＩＴ）が読取った原稿１枚分の原稿画像データを副走査方向に反転させてトナー像形成装置（８〜１１＋ＲＯＳ）に出力する。この場合、原稿給紙トレイ（２６）上にセットした原稿（Ｇ）と、前記セットされた状態の原稿（Ｇ）を左右反転させた状態でプラテンガラス（Ａ）上に置いた原稿（Ｇ）とは、前記原稿画像メモリ（Ｍ）から読出される画像データの読出順序が同一となる。
【００１７】
（第２発明の作用）
また、本出願の第２発明のデジタル複写機（Ｆ）では、原稿上端位置入力キー（３９）により、原稿給紙トレイ（２６）上にセットされたＣＶＴモード用の原稿（Ｇ）およびプラテンガラス（Ａ）上にセットされたプラテンモード用の原稿（Ｇ）の上端がプラテンガラス（Ａ）の後端または左端のいずれに対応して配置されたかを入力することができる。したがって、原稿（Ｇ）の上端がプラテンガラス（Ａ）の左端または後端（奥側の側端）に合わせて置かれた原稿（Ｇ）を読み取った画像データ、およびＣＶＴモードで読み取った画像データが原稿（Ｇ）のどの位置のデータであるのかを判別することができる。
したがって、画像処理回路（ＩＰＳ）の前記データ入力手段（４）の書込アドレスおよび前記データ出力手段（６）の読出アドレスを、ＣＶＴモードおよびプラテンモードの両モードでの原稿（Ｇ）およびその複写用紙サイズが同一の場合に、プラテンモードにおいて前記原稿画像メモリ（Ｍ）から読出す原稿画像データの読出し順序が、ＣＶＴモードにおける前記原稿画像メモリ（Ｍ）から原稿画像データを読出す順序と同一となるように設定することができる。
その場合、原稿給紙トレイ（２６）上にセットした原稿（Ｇ）と、前記セットされた状態の原稿（Ｇ）が同じで且つそれらの画像を複写する複写用紙が同じ給紙トレイ（１５〜１９）に収容された同一サイズで同一向きである場合には、ＣＶＴモードとプラテンモードとで、前記原稿画像メモリ（Ｍ）から読出される画像データの読出順序が同一となる。
そして、排出される複写用紙に形成された複写画像の向きがＣＶＴモードおよびプラテンモードで同一となる。
【００１８】
【発明の実施の形態】
次に図面を参照しながら、本発明のデジタル複写機の実施の形態の例（実施例）を説明するが、本発明は以下の実施例に限定されるものではない。
（実施例１）
図１は本発明の実施例１のデジタル複写機Ｆの全体説明図である。
図１において、デジタル複写機Ｆは、上面にプラテンガラスＡを有する複写機本体Ｆ１及び前記プラテンガラスＡの上面に装着された自動原稿搬送装置Ｆ２から構成されている。
前記プラテンガラスＡの大きさは、原稿サイズＢ５、Ａ４の原稿については横置き（長手方向を左右方向に一致させる置き方）および縦置き（長手方向を前後方向（デジタル複写機の前後方向で、図１の紙面に垂直な方向）に一致させる置き方）が可能であるが、原稿サイズＢ４、Ａ３については横置き（原稿長手方向をプラテンガラスの左右方向に一致させる置き方）のみ可能である。また、自動原稿搬送装置Ｆ２は、原稿サイズＢ５、Ａ４の原稿については長手方向搬送（用紙の長手方向に沿った搬送）および短手方向搬送（用紙の長手方向に垂直な方向に沿った搬送）が可能であるが、原稿サイズＢ４、Ａ３については長手方向搬送みが可能である。
【００１９】
ところで、この実施例１では、複写用紙を収容する後述の給紙トレイが、Ｂ５サイズ、Ａ４サイズの用紙を短手方向搬送するように収容し、Ｂ４サイズ、Ａ３サイズの用紙を長手方向搬送するように収容している。そして、この実施例１では、Ｂ５サイズ、Ａ４サイズの原稿を当倍で複写する際にはＣＶＴモードでは短手方向搬送のみ、プラテンモードでは縦置き（原稿短手方向をプラテンガラスの左右方向に一致させる置き方）のみが可能となっており、Ｂ４サイズ、Ａ３サイズの原稿を当倍で複写する際にはＣＶＴモードでは長手方向搬送のみ、プラテンモードでは横置き（原稿長手方向をプラテンガラスの左右方向に一致させる置き方）のみが可能となっている。
【００２０】
前記複写機本体Ｆ１は、前記プラテンガラスＡの下方に順次配置された原稿読取装置としてのイメージインプットターミナルＩＩＴ（以下、単に「ＩＩＴ」ともいう）、ＩＰＳ（イメージプロセッシングシステム）、及び画像記録用作動部としてのイメージアウトプットターミナルＩＯＴ（以下、単に「ＩＯＴ」ともいう）を有している。
【００２１】
前記原稿読取装置としてのＩＩＴ（イメージインプットターミナル）は、露光ランプ１ａを有する露光走査光学系１、及びプラテンガラスＡ上の原稿から反射して前記露光走査光学系１を通った原稿反射光が収束する位置に配置されたＣＣＤ（固体撮像装置）を有している。ＣＣＤは、その撮像面上に収束された原稿反射光を電気信号に変換する機能を有している。また、ＩＩＴは、前記ＣＣＤで得られる電気信号を読出し、原稿画像データとしてＩＩＰに出力する読取信号出力手段３を有している。前記読取信号出力手段３は、従来公知のＡＧＣ（オートゲインコントローラ）、ＡＯＣ（オートオフセットコントローラ）、およびＡＤＣ（アナログデジタルコントローラ）等により構成されている。
【００２２】
前記ＩＯＴは、前記ＩＩＴの読取信号出力手段３からの信号が入力されるＩＰＳ（イメージプロセッシングシステム、画像処理回路）を有している。ＩＰＳ（画像処理回路）は、データ入力手段としての第１セレクタ４、原稿画像メモリＭ、データ出力手段としての第２セレクタ６、および画像拡大および縮小手段７を有している。
前記セレクタ４は、前記読取信号出力手段３から入力された画像データを原稿画像メモリＭの所定の記憶エリア（アドレス）に記憶させるときのアドレス指定機能、および前記原稿画像メモリＭに記憶された原稿画像データを拡大または縮小出力するために読出す際のアドレス指定機能を有している。前記第２セレクタ６は等倍複写の際に前記原稿画像メモリＭに記憶された原稿画像データを読出す際の読出アドレスを指定する機能、および読出した原稿画像データをＩＯＴに出力する機能等を有している。また、前記画像拡大および縮小手段７は変倍複写の際に前記第１セレクタ４により原稿画像メモリＭから読出された原稿画像データに所定の演算を行うことにより拡大画像データまたは縮小画像データを得る機能を有している。なお、このような画像拡大および縮小手段７は従来公知であり、従来公知の種々の画像拡大および縮小方法を採用することが可能である。
前記ＩＰＳは前記原稿画像データ記憶メモリＭの原稿画像データを読出して、必要に応じて倍率変換等を施した後に画像書込データ（レーザ駆動データ）としてＩＯＴのレーザ駆動信号出力装置８に出力する。
【００２３】
前記ＩＯＴは、前記第２セレクタ６から入力される画像データに応じたレーザ駆動信号を出力するレーザ駆動信号出力装置８および前記レーザ駆動信号に応じてレーザビームにより像担持体９に静電潜像を書き込む光書込走査装置（すなわち、潜像書込装置）ＲＯＳ、前記像担持体９の周囲に配置された帯電用チャージャ１０、現像ユニット（すなわち、現像装置）１１、転写用チャージャ（転写器）１２、クリーナユニット１３、定着装置１４、用紙の種類に対応した複数の給紙トレイ１５〜１９、排出ローラ２０、および排紙トレイ２１等を有している。前記符号８〜１１で示された要素およびＲＯＳによりトナー像形成装置（８〜１１＋ＲＯＳ）が構成されている。
給紙トレイ１７は用紙反転用の中間トレイである。また、給紙トレイ１５，１６，１８，１９にはそれぞれ、Ｂ５、Ａ４、Ｂ４、Ａ３のサイズの用紙が収容されている。Ｂ５、Ａ４の用紙は、用紙の長手方向に垂直な方向に搬送（短手方向搬送）され、Ｂ４、Ａ３の用紙は、用紙の長手方向に沿って搬送されるようにセットされている。
【００２４】
また、前記ＩＯＴは、前記給紙トレイ１５〜１９から取り出した用紙を、前記転写用チャージャ１２および像担持体９間の転写位置、前記定着装置の加熱ロール１４ａおよび加圧ロール１４ｂ間の定着位置、前記排紙トレイ２１に順次に搬送する用紙搬送装置Ｈを備えている。用紙搬送装置Ｈは、前記定着装置１４で定着された片面複写済用紙を反転させて反転用の給紙トレイ１７に搬送する反転搬送路Ｈ１、および前記排出ローラ２０を有している。
【００２５】
前記自動原稿搬送装置Ｆ２は、原稿給紙トレイ２６、原稿有無センサＳ１１、原稿排出トレイ２７、および前記プラテンガラスＡ上の原稿自動読取位置Ａ１上に配置されるプラテンロール２８、両面原稿反転路２９等を有している。この自動原稿搬送装置Ｆ２は、前記原稿給紙トレイ２６上の原稿を１枚づつ取り出して、前記プラテンガラスＡの原稿自動読取位置Ａ１を一定速度で通過させながら前記原稿排出トレイ２７に搬送するように構成されている。また、両面原稿の場合には、前記プラテンガラスＡの原稿自動読取位置Ａ１を一定速度で通過させながら第１面目を読み取った原稿を、両面原稿反転路２９で反転させてから、前記原稿自動読取位置Ａ１を一定速度で通過させながら第２面目を読み取った後に前記原稿排出トレイ２７に搬送するように構成されている。
なお、このような原稿搬送装置は特願平６−２５５８２６号（特開平  −    ）に詳細に記載されている。
【００２６】
図２は前記デジタル複写機Ｆの回路構成の説明図である。
図２において、デジタル複写機Ｆは、ユーザインターフェースＵＩ、マイコンにより構成されたマスターコントローラＣ０、前記マスターコントローラＣ０によってコントロールされるスレーブＣＰＵにより構成された自動原稿搬送装置コントローラＣ１、ＩＩＴコントローラ（走査光学系制御装置）Ｃ２、ＩＰＳコントローラＣ３、ＩＯＴコントローラＣ４等を有している。
【００２７】
前記ユーザインターフェースＵＩは、コピースタートキー３１、両面、片面のコピーモードを選択するモード選択キー３２、給紙トレイ選択キー３３、数値入力用のテンキー３４、濃度設定キー３５、倍率設定キー３６、コピー枚数設定開始キー３７、表示部３８等を有している。
前記自動原稿搬送装置コントローラＣ１には、自動原稿搬送装置Ｆ２の原稿給紙トレイ２６上に原稿Ｇが有るか否かを検出するトレイ上の原稿有無センサＳ１１の検出信号が入力されている。なお、自動原稿搬送装置コントローラＣ１には、自動原稿搬送装置Ｆ２に内蔵された図示しない他の種々のセンサ（ジャムセンサ、原稿排出センサ等）の検出信号が入力されている。
前記自動原稿搬送装置コントローラＣ１は、前記各センサの入力信号、およびマスタコントローラＣ０からの信号に応じて、原稿搬送モータ駆動回路Ｄ１に制御信号を出力している。原稿搬送モータ駆動回路Ｄ１は入力された制御信号に応じて原稿搬送モータＭ１を駆動する。原稿搬送モータＭ１が駆動されるとプラテンロール２８および他の原稿搬送ローラ等が回転駆動されるようになっている。
【００２８】
図２においてＩＩＴコントローラＣ２には、露光系がホーム位置に有ることを検出する露光系ホーム位置センサＳ２１、露光系が他の所定の位置に来たことを検出する図示しない他の露光系位置センサ等の検出信号が入力されている。
前記ＩＩＴコントローラＣ２は、前記各センサの入力信号、およびマスタコントローラＣ０からの信号に応じて、露光系駆動モータ駆動回路Ｄ２、露光ランプ駆動回路Ｄ３、ＣＣＤ駆動回路Ｄ４、読取信号出力手段３等に制御信号を出力している。露光系駆動モータ駆動回路Ｄ２は入力された制御信号に応じて露光系駆動モータＭ２を駆動する。露光系駆動モータＭ２が駆動されると、露光走査光学系１がプラテンガラスＡ下方で副操作方向に露光走査するように構成されている。
露光ランプ駆動回路Ｄ３は、入力された制御信号に応じて露光走査光学系１の露光ランプ１ａの点灯を行うように構成されている。ＣＣＤ駆動回路Ｄ４は、入力された制御信号に応じてＣＣＤを駆動する。ＣＣＤは多数の受光素子により構成されており、入射した光量に応じた電気信号を出力する。
【００２９】
ＩＩＴコントローラＣ２は所定のタイミング（電源投入時等）で、前記ＣＣＤから読取信号出力手段３に入力され、読取信号出力手段３のＡＧＣ、ＡＯＣ、およびＡＤＣを通過した画像データを読取り、適切なＡＧＣのゲイン、ＡＯＣのオフセット値等を設定し、ＡＧＣのゲインメモリ、ＡＯＣのオフセット値メモリ等に記憶させる。
そして実際の複写動作時には、前記ＡＧＣおよびＡＯＣは前記設定されたゲインおよびオフセット値で作動する。
【００３０】
図２においてＩＰＳコントローラＣ３は、前記ＩＰＳ（画像処理回路）の、セレクタ４、原稿画像メモリＭ、第２セレクタ６、および画像拡大および縮小手段７を制御して、前記読取信号出力手段３から入力された原稿１頁分の画像データを原稿画像メモリＭの所定の記憶エリア（アドレス）に記憶させる。そして、前記原稿画像データ記憶メモリＭに記憶された原稿画像データを所定のタイミングで読出して、必要に応じて画像拡大および縮小手段７により倍率変換等を施した後に書込データ（レーザ駆動データ）としてＩＯＴのレーザ駆動信号出力装置８に出力する。
【００３１】
図２において、ＩＯＴコントローラＣ４には、各給紙トレイ１５〜１９（図１参照）の用紙の有無を検出するために各給紙トレイ１５〜１９に設けられた複写用紙有無センサＳ４１〜Ｓ４５、レジセンサＳ４６、ＲＯＳ（光書込走査装置、すなわち、潜像書込装置）のレーザビーム位置センサＳ４７、定着装置温度センサＳ４８等の検出信号が入力されている。
前記ＩＯＴコントローラＣ４は、前記各センサＳ４１〜Ｓ４７の入力信号、およびマスタコントローラＣ０からの信号に応じて、レーザ駆動信号出力装置８、ＲＯＳ駆動回路Ｄ４、複写画像出力装置駆動回路Ｄ５等に制御信号を出力している。
レーザ駆動信号出力装置８は、入力された制御信号に応じて作動し、前記ＩＰＳから入力される画像データに応じたレーザ駆動信号を、前記レーザビーム位置センサの検出するＳＯＳ（スタートオブスキャン）信号Ｓ４７に応じてＲＯＳに出力している。
ＲＯＳは図示しないレーザ発振器、スキャナ（回転多面鏡）、シリンドリカルレンズ、ミラー等を有しており、レーザ駆動信号出力装置８から入力されたレーザ駆動信号により発生するレーザビームによって複写画像出力装置の像担持体９上に静電潜像を記録する機能を有している。前記ＲＯＳ駆動回路Ｄ４は前記スキャナ駆動用のモータ（図示せず）を駆動する。
【００３２】
前記複写画像出力装置駆動回路Ｄ５は、前記図１の符号９〜２１およびＨ等により構成される複写画像出力装置（９〜２１，Ｈ）の構成要素（例えば、像担持体９の駆動モータ、現像装置１１の現像ロールおよび定着装置１４の定着ロールの駆動モータ、用紙搬送装置Ｈの用紙搬送ローラ等の駆動モータ、帯電用チャージャ１０、転写用チャージャ１２、定着装置のヒータ、等）の駆動信号を出力している。
なお、前述のような機能を有するＩＯＴコントローラＣ４は従来公知であり、前記複写画像出力装置（９〜２１，Ｈ）の前記各構成要素の制御方法としては、従来公知の種々の制御方法を採用することが可能である。
【００３３】
（実施例１の作用）
先ず、図４，５により、原稿Ｇの上端をプラテンガラスの奥側に配置して、ＣＶＴモードおよびプチテンモードでコピーを行う場合の作用を説明する。
図４は縦長の原稿Ｇの左端Ｇ２を先頭にして原稿Ｇを搬送する場合のＣＶＴモードでの原稿走査方法の説明図で、図４Ａは原稿給紙トレイ２６（図１参照）上の原稿Ｇの搬送方向ＹとプラテンガラスＡの位置関係を示す図であり、図４Ｂは原稿ＧのプラテンガラスＡ上の搬送方向を示す図であり、図４Ａに示す原稿Ｇが画像面をプラテンガラスＡに向けた状態で搬送される状態を示す図である。図５は主走査方向ＦＳ（プラテンガラスＡ左端）に原稿Ｇの右端（左端Ｇ２の反対側）を合わせた場合のプラテンモードでの原稿走査方法を示す図である。
【００３４】
（実施例１のＣＶＴモードの作用１）
図４Ａにおいて、プラテンガラスＡに対して、プラテンガラスＡの上方に配置された自動原稿搬送装置Ｆ２の原稿給紙トレイ２６（図１参照）上に原稿Ｇを、その画像面を上向きに且つ前記Ａ４の給紙トレイ１６（図１参照）の用紙と同じ向きにセットして原稿搬送方向Ｙに給紙する。なお、前記原稿ＧはＡ４サイズの縦向きの原稿であり、Ｇ１は上端、Ｇ２は左端とする。
そうすると、図４Ｂに示すように、その原稿ＧはプラテンガラスＡ上で下向きとなって、原稿搬送方向Ｙに搬送される。この場合の原稿Ｇの画像は前記ＣＣＤにより読み取られる。ＣＣＤにより読取られた信号は読取信号出力手段３のＡＤＣ（アナログデジタルコンバータ）によりＡＤ変換されてＩＰＳに入力される。前記原稿Ｇの領域１〜１２の読取順序は１，４，７，１０→２，５，８，１１→３，６，９，１２である。それらの領域の画像データはＩＰＳセレクタ４（図１，２参照）により原稿画像メモリＭ上に読取順序と同じ順序で書き込まれる。
【００３５】
前記原稿画像メモリＭに記憶された画像データは、等倍複写の場合は書き込まれた順序と同じ順序１，４，７，１０→２，５，８，１１→３，６，９，１２で前記第２セレクタ６により読出されてレーザ駆動信号出力装置８（図１，２参照）に出力される。
レーザ駆動信号出力装置８は入力された画像データに応じたレーザ駆動信号をＲＯＳに出力する。ＲＯＳ（光書込走査装置、すなわち、潜像書込装置）は入力されたレーザ駆動信号に応じて出射するレーザビームにより像担持体９に静電潜像を書き込む。
この静電潜像は現像装置１１（図１参照）によりトナー像に現像され、このトナー像は像担持体９の回転に連れて転写位置（像担持体９と転写用チャージャ１２との間の位置）に移動する。このトナー像の転写位置への移動にタイミングを合わせて前記給紙トレイ１６から給紙されたＡ４サイズの複写用紙が前記転写位置に搬送される。そして、転写位置でトナー像が転写された用紙は定着装置１４で定着されてから排出ローラ２０により排紙トレイ２１に排出される。
【００３６】
（実施例１のプラテンモードの作用１）
図５において、プラテンガラスＡに下向きに置かれた原稿Ｇは、前記図４Ａに示す原稿Ｇ（ＣＶＴモードにおける原稿給紙トレイ２６上の原稿Ｇ）を左右方向に反転させて裏返した状態である。本実施例１においては、ＣＶＴモードにおける原稿給紙トレイ２６上の原稿Ｇを左右方向に反転させて裏返した状態で、プラテンガラスＡ上に置いた場合に、排紙トレイ２１に排出される用紙の画像の向きが、ＣＶＴモードとプラテンモードとで同一となるようになっている。
図５において、プラテンガラスＡに下向きに置かれた原稿Ｇの画像は前記ＣＣＤにより読み取られる。読取信号出力手段３のＡＤＣ（アナログデジタルコンバータ）によりＡＤ変換されてＩＰＳに入力される。
前記原稿Ｇの領域１〜１２の読取順序は３，６，９，１２→２，５，８，１１→１，４，７，１０である。それらの領域の画像データはＩＰＳセレクタ４（図１，２参照）により原稿画像メモリＭ上に読取順序と同じ順序で書き込まれる。ただし前記ＣＶＴモードの場合と比べて、原稿画像メモリＭ上の前記画像データの書込アドレスは主走査方向で反転される。すなわち原稿画像メモリＭ上の前記画像データの書込は、主走査方向の最大アドレスから最小アドレスに向かって書き込まれて行く。
この場合、原稿画像メモリＭ上には図５に示すように原稿画像データが書き込まれる。
【００３７】
図５のプラテンモードでの原稿画像読取方法でＸＹ平面の原稿画像を読み取った場合の原稿画像メモリＭ上のＸＹアドレスに記憶された画像データは、図４のＣＶＴモードでの原稿画像読取方法で原稿画像を読み取った場合の原稿画像メモリＭ上のＸＹアドレスに記憶された画像データと比べて１８０°回転（ローテーション）している。このプラテンモードにおいて、前記原稿画像メモリＭ上の画像データにより像担持体９上にトナー像を形成し、そのトナー像が転写された複写用紙を定着装置から排紙トレイ２１に排出した際、排出された複写用紙に形成された複写画像の向きが前記図４のＣＶＴモードの場合と同じにするには、原稿画像メモリＭに記憶された画像データの読出順序を前記図４ＢのＣＶＴモードと同じ順序にする必要がある。
図５の原稿画像メモリＭ上の画像データを前記図４の原稿画像メモリＭ上の画像データと比べて分かるように、プラテンモードで前記排紙トレイに排出される複写用紙に形成された複写画像の向きをＣＶＴモードの場合と一致させるためには、図５の原稿画像メモリＭに記憶された画像データの読出をＦＳ′およびＳＳ′の方向に読み出せば良い。
その場合、図５の原稿画像メモリＭに記憶された前記領域１〜１２の画像データの読出順序は１，４，７，１０→２，５，８，１１→３，６，９，１２である。この画像データの読出順序はＣＶＴモードの場合の画像データの読出順序と同一である。
【００３８】
前述の説明から分かるように、この実施例１では、プラテンモードでの原稿画像の読取画像データの原稿画像メモリＭへの書込は、主走査方向の書込アドレスをＣＶＴモードの場合に比べて反転させている。また、原稿画像メモリＭからの画像データの読出開始位置は、原稿画像メモリＭ上の画像データの書込開始位置と異なっている。
図５の原稿画像メモリＭ上の画像データは、主走査方向では書込順序ＦＳと読出順序ＦＳ′が同じであるが、副走査方向では書込順序ＳＳと読出順序ＳＳ′とが逆になっている。
このようにすることにより、ＣＶＴモードおよびプラテンモードの両モードにおいて排紙トレイ２１に排出される複写用紙の画像の向きを同一にすることができる。
【００３９】
前記図５において、原稿画像メモリＭ上の画像データの記憶領域の角の点をＰ１，Ｐ２，Ｐ３，Ｐ４とすると、書込開始位置はＰ１であり、書込終了位置はＰ３である。そして、読出開始位置はＰ４であり、読出終了位置はＰ２である。
前記図５において、原稿画像メモリＭ上の画像データの記憶領域中心位置（領域５および８の境界）に関して、前記各点Ｐ１〜Ｐ４は９０°離れた位置に有るものと見なして、Ｐ１に対するＰ２の位置は時計方向に９０°回転した位置すなわち、９０°ローテーション位置ということにする。そして、Ｐ３はＰ１に対して１８０°ローテーション位置、Ｐ４は２７０°ローテーション位置ということにする。その場合、図５における原稿画像メモリＭからの画像データの読出開始位置Ｐ４は書込開始位置Ｐ１に対して２７０°ローテーション位置となっている。
また、この場合、図５のプラテンモードでの原稿画像読取方法で原稿画像を読み取った場合の原稿画像メモリＭ上の画像データは、図４ＢのＣＶＴモードでの原稿画像読取方法で原稿画像を読み取った場合の原稿画像メモリＭ上の画像データと比べて１８０°ローテーション（回転）している。
このような場合、プラテンモードの場合の図５の原稿画像メモリＭ上の画像データを前記ＣＶＴモードの場合の図４の原稿画像メモリＭ上の画像データと比べて分かるように、図５の原稿画像メモリＭに記憶された画像データのＰ４の位置からの読出方向をＦＳ′およびＳＳ′の方向とすれば、前記図４Ｂに示すＣＶＴモードでの各領域の画像データの読出順序と同一になる。この場合、プラテンモードで前記排紙トレイに排出される複写用紙に形成された複写画像の向きは、ＣＶＴモードの場合と一致することになる。
【００４０】
次に、図６により、原稿Ｇの上端をプラテンガラスの左側に配置した状態で原稿給紙トレイ２６上にセットして、ＣＶＴモードでコピーを行う場合の作用を説明する。
（実施例１のＣＶＴモードの作用２）
図６Ａにおいて、プラテンガラスＡに対して、プラテンガラスＡの上方に配置された自動原稿搬送装置Ｆ２の原稿給紙トレイ２６（図１参照）上に原稿Ｇをその画像面を上向きに且つＡ４の給紙トレイ１６の用紙の向きと同じ向きにセットして原稿搬送方向Ｙに給紙する。なお、前記原稿ＧはＡ４サイズの横向きの原稿であり、Ｇ１は上端、Ｇ２は左端とする。
そうすると、図６Ｂに示すように、その原稿ＧはプラテンガラスＡ上で下向きとなって、原稿搬送方向Ｙに搬送される。この場合の原稿Ｇの画像は前記ＣＣＤにより読み取られる。読取信号出力手段３のＡＤＣ（アナログデジタルコンバータ）によりＡＤ変換されてＩＰＳに入力される。
前記原稿Ｇの領域１〜１２の読取順序は４，３，２，１→８，７，６，５→１２，１１，１０，９である。それらの領域の画像データはＩＰＳセレクタ４（図１，２参照）により図６Ｂに示すように原稿画像メモリＭ上に読取順序と同じ順序で書き込まれる。
【００４１】
前記原稿画像メモリＭに記憶された画像データは、前記（実施例１のＣＶＴモードの作用１）で説明したのと同様にして書込アドレス順と同じ読出アドレス順で読出されて、レーザ駆動信号となり、レーザ駆動信号に応じて出射するレーザビームにより像担持体９上に書き込まれた静電潜像はトナー像に現像され、トナー像はＡ４サイズの複写用紙に転写される。
【００４２】
（実施例１のプラテンモードの作用２）
図７において、プラテンガラスＡに下向きに置かれた原稿Ｇは、前記図６Ａに示す原稿Ｇ（ＣＶＴモードにおける原稿給紙トレイ上の原稿Ｇ）を左右方向に反転させて裏返した状態である。本実施例においては、ＣＶＴモードにおける原稿給紙トレイ上の原稿Ｇを左右方向に反転させて裏返した状態で、プラテンガラスＡ上に置いた場合に、排紙トレイ２１に排出される用紙の画像の向きが、ＣＶＴモードとプラテンモードとで同一となる。
図６において、プラテンガラスＡに下向きに置かれた原稿Ｇの画像は前記ＣＣＤにより読み取られる。前記原稿Ｇの領域１〜１２の読取順序は１２，１１，１０，９→８，７，６，５→４，３，２，１である。
この場合、原稿画像メモリＭ上には図７に示すように原稿画像データが書き込まれる。
【００４３】
図７のプラテンモードでの原稿画像読取方法で原稿画像を読み取った場合の原稿画像メモリＭ上の画像データは、ＣＶＴモードの図６に示す原稿画像読取方法で原稿画像を読み取った場合の原稿画像メモリＭ上の画像データと比べて１８０°回転（ローテーション）している。プラテンモードの場合の図７の原稿画像メモリＭ上の画像データを前記ＣＶＴモードの場合の図６の原稿画像メモリＭ上の画像データと比べて分かるように、図７の原稿画像メモリＭに記憶された画像データの読出をＦＳ′およびＳＳ′の方向に読み出せば、前記図６Ｂに示すＣＶＴモードでの各領域の画像データの読出順序と同一になる。この場合、プラテンモードで前記排紙トレイに排出される複写用紙に形成された複写画像の向きは、ＣＶＴモードの場合と一致する。
【００４４】
前述の各作用の説明から分かるように、この実施例１では、ＣＶＴモードにおける原稿給紙トレイ２６上の原稿Ｇを左右方向に反転させて裏返した状態で、プラテンガラスＡ上に置いた場合に、排紙トレイ２１に排出される用紙の画像の向きが、ＣＶＴモードとプラテンモードとで同一となる。
なお、この実施例１の場合には、Ａ４サイズの原稿をＢ４またはＡ３に拡大複写する際には、ＣＶＴモードではＡ４原稿を横置きした状態で搬送する必要があり、プラテンモードでは前記ＣＶＴモードにおける原稿給紙トレイ２６上の原稿Ｇを左右方向に反転させて裏返した状態でプラテンガラスＡ上に置いて複写を行えばよい。
なお、この実施例１ではＢ４およびＡ３の原稿は長手方向に沿った搬送（ＣＶＴモード）、原稿長手方向をプラテンガラスの左右方向に配置した横置き（プラテンモード）しかできない。したがって、これらの横置きのＢ４，Ａ３の原稿を、Ｂ５またはＡ４の用紙に縮小複写する場合には、前記Ｂ５およびＡ４の複写用紙を縦置きの状態で収容した給紙トレイ１５，１６を、横置きの状態で収容した給紙トレイに取り替えて複写を行う必要がある。
【００４５】
次に図３により、前記図４〜７で説明したような、ＣＶＴモードおよびプラテンモードで複写画像の向きが同一の用紙を排出する制御系の処理を説明する。図３は前記実施例１のデジタル複写機Ｆの動作のフローチャートである。図３のフローチャートの各ステップの処理は、前記各コントローラＣ０，Ｃ１，，Ｃ２，Ｃ３，Ｃ４のＲＯＭに記憶されたプログラムに従って行われる。
デジタル複写機Ｆの電源がＯＮになると、各種の初期化が行われた後、図３に示すフローが開始される。
ステップＳＴ１において、コピースタートキーがＯＮしたか否か判断する。ノー（Ｎ）の場合はステップＳＴ１を繰り返し実行する。イエス（Ｙ）の場合はステップＳＴ２に移る。
ステップＳＴ２においてＣＶＴモードか否か判断する。この判断は原稿給紙トレイ２６上の原稿有無センサＳ１１が原稿を検出しているか否かによって判断する。
イエス（Ｙ）の場合はステップＳＴ３に移り、ノー（Ｎ）の場合はステップＳＴ１０に移る。
【００４６】
ステップＳＴ３において、ＣＶＴモードで原稿を読取り、読み取った原稿画像データをＩＰＳ（図１参照）の原稿画像メモリＭに書き込む。
この処理は前記図４，６で説明した処理である。
次にステップＳＴ４において原稿１頁分の読取が終了したか否か判断する。ノー（Ｎ）の場合は前記ステップＳＴ３に戻る。イエス（Ｙ）の場合は次のステップＳＴ５に移る。
ステップＳＴ５において原稿Ｇの向きと複写用紙の向きとが一致しているか否か判断する。ノー（Ｎ）の場合はステップＳＴ１１に移り、ユーザインターフェースＵＩの表示部３８に「原稿の向きを直してコピースタートキーを押して下さい」のメッセージを表示してから前記ステップＳＴ１に戻る。
【００４７】
前記ステップＳＴ５においてイエス（Ｙ）の場合はステップＳＴ６に移る。
ステップＳＴ６において書き込んだアドレス順に原稿画像メモリＭから原稿画像データを読出し、設定された倍率データに変換して、レーザ駆動信号出力装置８に出力する。前記原稿画像データの読出順序は前記図４，６で説明した順序である。
次にステップＳＴ７においてＩＯＴによる画像記録動作を行う。
次にステップＳＴ８において１頁分の画像データの読出しが終了したか否か判断する。ノー（Ｎ）の場合は前記ステップＳＴ６に戻る。イエス（Ｙ）の場合は次のステップＳＴ９に移る。
ステップＳＴ９において次の原稿が有るか否かを判断する。この判断は前記原稿給紙トレイ２６上の原稿の有無を検出する原稿有無センサＳ１１（図２参照）の検出信号によって行う。イエス（Ｙ）の場合は前記ステップＳＴ３に戻り、ノー（Ｎ）の場合は前記ステップＳＴ１に戻る。
【００４８】
前記ステップＳＴ２においてノー（Ｎ）の場合はプラテンモードである。この場合はステップＳＴ１０に移る。
ステップＳＴ１０において原稿Ｇの向きと複写用紙の向きとが一致しているか否か判断する。ノー（Ｎ）の場合はステップＳＴ１１に移り、ユーザインターフェースＵＩの表示部３８に「原稿の向きを直してコピースタートキーを押して下さい」のメッセージを表示してから前記ステップＳＴ１に戻る。
【００４９】
前記ステップＳＴ１０においてイエス（Ｙ）の場合はステップＳＴ１２に移る。
ステップＳＴ１２において、プラテンモードで原稿を読取り、読み取った原稿画像データをＩＰＳ（図１参照）の原稿画像メモリＭに書き込む。その書込の際、主走査方向の書込アドレスを前記ＣＶＴモードの場合に比べて反転させる。
この処理は前記図５，７で説明した処理である。
次にステップＳＴ１３において原稿１頁分の読取が終了したか否か判断する。ノー（Ｎ）の場合は前記ステップＳＴ１２に戻る。イエス（Ｙ）の場合は次のステップＳＴ１４に移る。
ステップＳＴ１４において主走査方向のアドレスの読出順序ＦＳ′は書込順ＦＳに、且つ副走査方向のアドレスの読出順序ＳＳ′は書込順ＳＳと反転した順序で原稿画像メモリＭから原稿画像データを読出し、設定された倍率データに変換して、レーザ駆動信号出力装置８に出力する。前記原稿画像データの読出順序は前記図５，７で説明した順序である。
【００５０】
次にステップＳＴ１５においてＩＯＴによる画像記録動作を行う。
次にステップＳＴ１６において１頁分の画像データの読出しが終了したか否か判断する。ノー（Ｎ）の場合は前記ステップＳＴ１４に戻る。イエス（Ｙ）の場合は前記ステップＳＴ１に戻る。
【００５１】
（実施例２）
次に図８，９により本発明のデジタル複写機の実施例２について説明する。
図９は実施例２におけるプラテンモードでの読取原稿の画像データを原稿画像メモリＭに書き込む場合および読出す場合のアドレス指定方法の説明図であり、前記実施例１の図５に対応する図である。
この実施例２は、下記の点で前記実施例１と相違しているが、他の点では前記実施例１と同様に構成されている。
この実施例２はプラテンモードでの読取原稿の画像データを原稿画像メモリＭに記憶させる場合の書込アドレスおよび原稿画像メモリＭからの画像データの読出アドレスが前記実施例１と異なる。しかし、ＣＶＴモードでの読取原稿の画像データを原稿画像メモリＭに記憶させる場合の書込アドレスおよび原稿画像メモリＭからの画像データの読出アドレスは前記実施例１と同一である。
【００５２】
図９において、原稿Ｇの領域１〜１２の読取順序は３，６，９，１２→２，５，８，１１→１，４，７，１０である。この実施例２の場合、読み取った画像データは読み取った順に原稿画像メモリＭにＣＶＴモードでの書込アドレス指定順序（図４Ｂ、図６Ｂ参照）と同じ順序（ＦＳ、ＳＳ方向の順序）で指定されるアドレスに書き込まれる。
前記原稿画像メモリＭに記憶された画像データは、ＦＳ′、ＳＳ′の方向の順序で読出される。この場合、画像データの主走査方向の書込順序ＦＳおよび読出順序ＦＳ′は同じであるが、副走査方向の書込順序ＳＳおよび読出順序ＳＳ′は反転している。
この場合、図９の原稿画像メモリＭに記憶された前記領域１〜１２の画像データの読出順序は１，４，７，１０→２，５，８，１１→３，６，９，１２である。この画像データの読出順序はＣＶＴモードの場合の画像データの読出順序（図４Ｂ、図６Ｂ参照）と同一である。
この実施例２のように、読み取った原稿の画像データの書込順序はＣＶＴモードおよびプラテンモードで同一とし、読出順序はプランテンモードにおいてＣＶＴモードの場合と副走査方向のアドレスを反転させることにより前記実施例１と全く同様の作用が得られる。
【００５３】
次に図８により、前記図９で説明したような、ＣＶＴモードおよびプラテンモードで複写画像の向きが同一の用紙を排出する制御系の処理を説明する。図８は実施例２のデジタル複写機Ｆの動作のフローチャートであり、前記実施例１の図３に対応する図である。図８のフローチャートの各ステップの処理は、前記各コントローラＣ０，Ｃ１，，Ｃ２，Ｃ３，Ｃ４のＲＯＭに記憶されたプログラムに従って行われる。
デジタル複写機Ｆの電源がＯＮになると、各種の初期化が行われた後、図８に示すフローが開始される。
この図８に示すフローチャートでは、ステップＳＴ１２′およびステップＳＴ１４′が前記図３のステップＳＴ１２およびステップＳＴ１４と異なるだけで他のステップの処理は同一である。
ステップＳＴ１２′において、プラテンモードで原稿を読取り、読み取った原稿画像データをＩＰＳ（図１参照）の原稿画像メモリＭに書き込む。その書込の際、主および副走査方向の書込アドレス順ＦＳおよびＳＳはＣＶＴモードの場合と同一である。
この処理は前記図９で説明した処理である。
ステップＳＴ１４′において主走査方向のアドレスの読出順序ＦＳ′は書込順ＦＳに、且つ副走査方向のアドレスの読出順序ＳＳ′は書込順ＳＳと反転した順序で原稿画像メモリＭから原稿画像データを読出し、設定された倍率データに変換して、レーザ駆動信号出力装置８に出力する。前記原稿画像データの読出順序は前記図９で説明した順序である。
【００５４】
（実施例３）
次に図１０〜図１５により本発明のデジタル複写機の実施例３について説明する。この実施例３は、前記実施例１，２が原稿の向きを複写用紙の向きと一致させて複写を行うように構成されていたのに対し、原稿の縦横の向きが複写用紙の縦横の向きと９０°ずれていても複写を行えるようにした点で相違している。
図１０は前記デジタル複写機Ｆの回路構成の説明図である。
図１０において、デジタル複写機Ｆは、ＵＩ（ユーザインターフェース）に原稿上端位置入力キー３９が設けられた点、およびＩＰＳコントローラＣ３に原稿の向きと複写用紙の向きが異なる場合には原稿画像を回転させて複写する機能を設けた点で前記実施例１，２と相違している。
そして、この実施例３は原稿Ｇの上端をプラテンガラスＡの後端縁（奥側の端縁）に一致させて複写することを初期設定としており、原稿Ｇ上端をプラテンガラス左端縁に一致させる場合は図１０の原稿上端位置入力キー３９により入力することを前提に構成されている。前記原稿上端位置入力キー３９による上端位置の入力が無かった場合には前記初期設定のとおりであるとして作動するように構成されている。
【００５５】
この実施例３は、ＣＶＴモードおよびプラテンモードにおける主、副走査方向における画像読取順序、および読み取った画像データを原稿画像メモリＭに記憶させるアドレス指定順序は、前記実施例１と同一である。
前記ＣＶＴモードでは、原稿の向きと複写用紙の向きが同一の場合は、前記原稿画像メモリＭに記憶された画像データの読出開始位置も前記実施例１と同一である。しかし、前記プラテンモードでは、原稿の向きと複写用紙の向きが同一の場合において、原稿上端がプラテン左端縁に沿って配置される場合は前記原稿画像メモリＭに記憶された画像データの読出開始位置が、書込開始位置から９０°ローテーション位置とされた点で前記実施例１の２７０°ローテンション位置と異なる。なお、原稿上端がプラテンガラスＡの後端縁（奥側端縁）に一致している場合には前記実施例１と同様に前記原稿画像メモリＭに記憶された画像データの読出開始位置が、書込開始位置から時計方向に２７０°ローテーション位置とされている。
【００５６】
また、ＣＶＴモードおよびプラテンモードにおいて、原稿Ｇの向きと複写用紙の向きが異なる場合には、前記原稿画像メモリＭに記憶された画像データの読出を主走査方向と副走査方向とを入れ替えて読出すようにした点で前記実施例１と異なる。
また、この実施例３は前記実施例１と次の相違点を有する。
すなわち、原稿の向きとその原稿の複写用紙との向きが異なっても複写を行えるように構成したことにより、実施例１においてユーザインターフェースＵＩに「原稿の向きを直してコピースタートキーを押して下さい」のメッセージを表示する構成を省略した点。
前述の相違点以外は実施例３は前記実施例１と同様に構成されている。
【００５７】
（実施例３の作用）
次に、図１１〜１４により、実施例３の作用を説明する。
この実施例３において、原稿Ｇ上端がプラテンガラスＡの後端縁（奥側の端縁）に沿って配置される場合の作用は、原稿Ｇの向きが複写用紙の向きと同じ場合および違う場合で異なる。
原稿上端がプラテンガラスＡの後端縁（奥側の端縁）に沿って配置され且つ、原稿の向きが複写用紙の向きと同じ場合の作用は、前記実施例１の図４Ｂ（ＣＶＴモード）、図５（プラテンモード）に示す場合と同じである。
【００５８】
次に、原稿上端がプラテンガラスＡの後端縁（奥側の端縁）に沿って配置され且つ、原稿の向きが複写用紙の向きと異なる場合の作用について説明する。
（実施例３のＣＶＴモードの作用１）
図１３Ａにおいて、プラテンガラスＡに対して、プラテンガラスＡの上方に配置された自動原稿搬送装置Ｆ２の原稿給紙トレイ２６（図１参照）上に原稿Ｇをその画像面を上向きに且つ原稿Ｇ上端がプラテンガラスＡの後端縁（奥側の端縁）に沿って配置されるようにセットして原稿搬送方向Ｙに給紙する。なお、前記原稿ＧはＡ４サイズの横向きの原稿であり、Ｇ１は上端、Ｇ２は左端とする。この原稿を当倍複写する場合の作用について説明する。
図１３Ｂに示すように、前記原稿ＧはプラテンガラスＡ上で下向きとなって、原稿搬送方向Ｙに搬送される。この場合の原稿Ｇの画像は前記ＣＣＤにより読み取られる。読取信号出力手段３のＡＤＣ（アナログデジタルコンバータ）によりＡＤ変換されてＩＰＳに入力される。
前記原稿Ｇの領域１〜１２の読取順序は１，５，９→２，６，１０→３，７，１１→４，８，１２である。それらの領域の画像データはＩＰＳセレクタ４（図１，２参照）により図１３Ｂに示すように原稿画像メモリＭ上に読取順序と同じ順序で書き込まれる。この処理は図１１のステップＳＴ３の処理（後述）である。
【００５９】
今の場合、原稿の向きと用紙の向きが異なるので、前記原稿画像メモリＭに記憶された画像データは、書込時の主走査方向と副走査方向とを入れ替えて読出される。すなわち、書き込まれたときの副走査方向ＳＳを読出時の主走査方向ＦＳ′とし、書込時の主走査方向ＦＳを読出時の副走査方向ＳＳ′として読出される。画像データの読出順序は１，２，３，４→５，６，７，８→９，１０，１１，１２である。この処理は図１１のステップＳＴ２２の処理（後述）である。読出された画像データはレーザ駆動信号となり、レーザ駆動信号に応じて出射するレーザビームにより像担持体９上に静電潜像が書き込まれる。書き込まれた静電潜像はトナー像に現像され、トナー像はＡ４サイズの複写用紙に転写される。
【００６０】
（実施例３のプラテンモードの作用１）
図１３Ｃにおいて、前記図１３Ａに示す原稿Ｇが、プラテンガラスＡに下向きに置かれた原稿Ｇの上端Ｇ１がプラテンガラスＡの後端縁（奥側の端縁）に沿って配置される。
図１３Ｃにおいて、プラテンガラスＡに下向きに置かれた原稿Ｇの画像は前記ＣＣＤにより読み取られる。前記原稿Ｇの領域１〜１２の読取順序は４，８，１２→３，７，１１→２，６，９→１，５，９である。
この場合、原稿画像メモリＭ上には図１３Ｃに示すように原稿画像データが書き込まれる。この処理は図１１のステップＳＴ１２の処理である。
【００６１】
図１３Ｃのプラテンモードでの原稿画像読取方法で原稿画像を読み取った場合の原稿画像メモリＭ上の画像データは、図１３ＢのＣＶＴモードでの原稿画像読取方法で原稿画像を読み取った場合の原稿画像メモリＭ上の画像データと比べて１８０°ローテンション（回転）している。このプラテンモードの場合の図１３Ｃの原稿画像メモリＭ上の画像データは、前記ＣＶＴモードの場合の図１３Ｂの原稿画像メモリＭ上の画像データと比べて分かるように、書込開始位置Ｐ１から時計方向に２７０°ローテーションした位置Ｐ４から、図１３Ｃの原稿画像メモリＭに記憶された画像データの読出をＦＳ′およびＳＳ′の方向に読み出せば、前記図１３Ｂに示すＣＶＴモードでの各領域１〜１２の画像データの読出順序（１，２，３，４→５，６，７，８→９，１０，１１，１２）と同一になる。
したがって、この図１３Ｃの場合、原稿Ｇの向きと複写用紙の向きが異なっているので、図１２のステップＳＴ２５の処理（後述）を行う。そうすると、プラテンモードで前記排紙トレイ２１に排出される複写用紙に形成された複写画像の向きは、ＣＶＴモードの場合と一致する。
【００６２】
次に実施例３において、原稿上端がプラテンガラスＡの左端縁に沿って配置される場合の作用を次に説明する。
【００６３】
（実施例３のＣＶＴモードの作用２）
図１４Ａにおいて、プラテンガラスＡに対して、プラテンガラスＡの上方に配置された自動原稿搬送装置Ｆ２の原稿給紙トレイ２６（図１参照）上に原稿Ｇをその画像面を上向きに且つ原稿左端がプラテンガラスＡの左側に配置されるようにセットして原稿搬送方向Ｙに給紙する。なお、前記原稿ＧはＡ４サイズの横向きの原稿であり、Ｇ１は上端、Ｇ２は左端とする。この原稿Ｇを当倍複写する場合の作用について説明する。
図１４Ｂに示すように、前記原稿ＧはプラテンガラスＡ上で下向きとなって、原稿搬送方向Ｙに搬送される。この場合の原稿Ｇの画像は前記ＣＣＤにより読み取られる。読取信号出力手段３のＡＤＣ（アナログデジタルコンバータ）によりＡＤ変換されてＩＰＳに入力される。
前記原稿Ｇの領域１〜１２の読取順序は４，３，２，１→８，７，６，５→１２，１１，１０，９である。それらの領域の画像データはＩＰＳセレクタ４（図１，２参照）により図１４Ｂに示すように原稿画像メモリＭ上に読取順序と同じ順序で書き込まれる。
また今の場合、原稿Ｇの向きと給紙トレイ１６に収容された複写用紙の向きが同じであるので、前記原稿画像メモリＭに記憶された画像データは、前記実施例１のＣＶＴモードの作用１および作用２で説明したのと同様に、図１１のステップＳＴ６の処理により、書込アドレス順と同じ読出アドレス順に読出されて、レーザ駆動信号となり、レーザ駆動信号に応じて出射するレーザビームにより像担持体９上に書き込まれる。書き込まれた静電潜像はトナー像に現像され、トナー像はＡ４サイズの複写用紙に転写される。
【００６４】
（実施例３のプラテンモードの作用２）
図１４Ｃにおいて、プラテンガラスＡに下向きに置かれた前記図１４Ａに示す原稿Ｇは、前記図７と異なり、原稿Ｇの左端Ｇ２がプラテンガラスＡの左端に一致して配置されている。
図１４Ｃにおいて、プラテンガラスＡに下向きに置かれた原稿Ｇの画像は前記ＣＣＤにより読み取られる。前記原稿Ｇの領域１〜１２の読取順序は１，２，３，４→５，６，７，８→９，１０，１１，１２である。
この場合、原稿画像メモリＭ上には図１４Ｃに示すように原稿画像データが書き込まれる。
【００６５】
図１４Ｃのプラテンモードでの原稿画像読取方法で原稿画像を読み取った場合の原稿画像メモリＭ上の画像データは、図１４ＢのＣＶＴモードでの原稿画像読取方法で原稿画像を読み取った場合の原稿画像メモリＭ上の画像データと比べて主走査方向にアドレスがシフトしているだけである。このプラテンモードの場合の図１４Ｃの原稿画像メモリＭ上の画像データを前記ＣＶＴモードの場合の図１４Ｂの原稿画像メモリＭ上の画像データと比べて分かるように、読出開始位置Ｐ２から、図１４Ｃの原稿画像メモリＭに記憶された画像データの読出をＦＳ′およびＳＳ′の方向に読み出せば、前記図１４Ｂに示すＣＶＴモードでの各領域１〜１２の画像データの読出順序と同一になる。なお、前記読出開始位置Ｐ２は、プラテンモードでの書込開始位置Ｐ１から時計方向に９０°ローテーションした位置である。
したがって、図１４Ｃの場合、図１２のステップＳＴ２７の処理（後述）を行う。そうすると、プラテンモードで前記排紙トレイに排出される複写用紙に形成された複写画像の向きは、ＣＶＴモードの場合と一致する。
【００６６】
（実施例３のＣＶＴモードの作用３）
図１５Ａにおいて、プラテンガラスＡに対して、プラテンガラスＡの上方に配置された自動原稿搬送装置Ｆ２の原稿給紙トレイ２６（図１参照）上に原稿Ｇをその画像面を上向きに且つ原稿上端Ｇ１がプラテンガラスＡの左側に配置されるようにセットして原稿搬送方向Ｙに給紙する。なお、前記原稿ＧはＡ４サイズの縦向きの原稿であり、Ｇ１は上端、Ｇ２は左端とする。この原稿Ｇを当倍複写する場合の作用について説明する。
図１５Ｂに示すように、前記原稿ＧはプラテンガラスＡ上で下向きとなって、原稿搬送方向Ｙに搬送される。この場合の原稿Ｇの画像は前記ＣＣＤにより読み取られる。読取信号出力手段３のＡＤＣ（アナログデジタルコンバータ）によりＡＤ変換されてＩＰＳに入力される。
前記原稿Ｇの領域１〜１２の読取順序は３，２，１→６，５，４→９，８，７→１２，１１，１０である。それらの領域の画像データはＩＰＳセレクタ４（図１，２参照）により図１５Ｂに示すように原稿画像メモリＭ上に読取順序と同じ順序で書き込まれる。これは図１１のステップＳＴ３の処理である。
【００６７】
また、前記原稿画像メモリＭに記憶された画像データは、前記（実施例１のＣＶＴモードの作用１および作用２）で説明したのと同様に、書込アドレス順と同じ読出アドレス順に読出されるが、この図１５のＡ４サイズの原稿は、原稿が等倍複写される給紙トレイ１６内の複写用紙の向きとが異なっている。この場合、画像データの読出の主走査方向ＦＳ′は書込の副走査方向ＳＳであり、読出の副走査方向ＳＳ′は書込の主走査方向ＦＳである。この場合の読出順序は３，６，９，１２→２，５，８，１１→１，４，７，１０である。これは図１１のステップＳＴ２２の処理である。
【００６８】
（実施例３のプラテンモードの作用３）
図１５Ｃにおいて、プラテンガラスＡに下向きに置かれた前記図１５Ａに示す原稿Ｇは、前記図７と異なり、原稿Ｇの上端Ｇ１がプラテンガラスＡの左端に一致して配置されている。
図１５Ｃにおいて、プラテンガラスＡに下向きに置かれた原稿Ｇの画像は前記ＣＣＤにより読み取られる。前記原稿Ｇの領域１〜１２の読取順序は１，２，３→４，５，６→７，８，９→１０，１１，１２である。
この場合、原稿画像メモリＭ上には図１５Ｃに示すように原稿画像データが書き込まれる。これは図１１のステップＳＴ１２の処理である。
【００６９】
図１５Ｃのプラテンモードでの原稿画像読取方法で原稿画像を読み取った場合の原稿画像メモリＭ上の画像データは、図１５ＢのＣＶＴモードでの原稿画像読取方法で原稿画像を読み取った場合の原稿画像メモリＭ上の画像データと比べて主走査方向にアドレスがシフトしているだけである。このプラテンモードの場合の図１４３の原稿画像メモリＭ上の画像データを前記ＣＶＴモードの場合の図１５Ｂの原稿画像メモリＭ上の画像データと比べて分かるように、読出開始位置Ｐ２から、図１５Ｃの原稿画像メモリＭに記憶された画像データの読出を書込時と主、副走査方向を入れ替えてＦＳ′およびＳＳ′の方向に読み出せば、前記図１５Ｂに示すＣＶＴモードでの各領域１〜１２の画像データの読出順序（３，６，９，１２→２，５，８，１１→１，４，７，１０）と同一になる。
すなわち、この図１５Ｃの場合、図１２のステップＳＴ２８の処理（後述）を行う。この場合、前記読出開始位置Ｐ２は、プラテンモードでの書込開始位置Ｐ１から時計方向に９０°ローテーションした位置となる。この場合、プラテンモードで前記排紙トレイに排出される複写用紙に形成された複写画像の向きは、ＣＶＴモードの場合と一致する。
【００７０】
実施例３の前述の各作用の説明から分かるように、この実施例３では、ＣＶＴモードにおける原稿給紙トレイ上の原稿Ｇの上端を、ＣＶＴモードおよびプラテンモードにおいて、プラテンガラスＡの後端縁（奥側の端縁）または左端縁のいずれかに揃えた場合、排紙トレイ２１に排出される用紙の画像の向きが、ＣＶＴモードとプラテンモードとで同一となる。
なお、この実施例３の場合には、原稿の向きと複写用紙の向きが異なっても画像データ書込時と読出時の主、副走査方向を入れ替えることにより、複写を行うことができる。
【００７１】
次に図１１、図１２により、前記図１０、図１３〜図１５で説明したような、ＣＶＴモードおよびプラテンモードで原稿画像の上端をプラテンガラスＡの奥側（後側）または左側に揃えた場合に複写画像の向きが同一の用紙を排出する制御系の処理を説明する。図１１、図１２は前記実施例３のデジタル複写機Ｆの動作のフローチャートである。図１１、図１２のフローチャートの各ステップの処理は、前記各コントローラＣ０，Ｃ１，，Ｃ２，Ｃ３，Ｃ４のＲＯＭに記憶されたプログラムに従って行われる。
図１１および図１２に示す処理で前記図３に示す処理と同一の処理は同一のステップ番号で示し、重複する詳細な説明は省略する。
デジタル複写機Ｆの電源がＯＮになると、各種の初期化が行われた後、図１１に示すフローが開始される。
ステップＳＴ１からステップＳＴ４までの処理、およびステップＳＴ１２、ステップＳＴ１３は、前記図３で説明したとおりである。すなわち、ＣＶＴモードで原稿Ｇを読み取って原稿画像メモリＭに書き込む処理ＳＴ３およびプラテンモードで原稿を読み取って原稿画像メモリＭに書き込む処理ＳＴ１２は、この実施例３と前記実施例１とは同じである。
ステップＳＴ１からステップＳＴ４までの処理を行って、ステップＳＴ４でイエス（Ｙ）の場合ははステップＳＴ２１に移る。
【００７２】
ステップＳＴ２１において原稿の向きは複写用紙の向きと同じか否か判断する。イエス（Ｙ）の場合はステップＳＴ６に移り、ノー（Ｎ）の場合はステップＳＴ２２に移って原稿画像メモリＭからの画像データの読出しを行う。すなわち、
ステップＳＴ６において書き込んだアドレス順に原稿画像メモリＭから原稿画像データを読出し、設定された倍率データに変換して、レーザ駆動信号出力装置８に出力する。前記原稿画像データの読出順序は前記図４Ｂで説明した順序である。
ステップＳＴ２１においてノー（Ｎ）の場合は、原稿の向きとＡ４縦の給紙トレイ１６に収容された複写用紙の向きが異なるということである。この場合はステップＳＴ２２に移る。
【００７３】
ステップＳＴ２２において書き込んだアドレス順に原稿画像メモリＭから原稿画像データを主副の走査方向を入れ替えて読出し、設定された倍率データに変換して、レーザ駆動信号出力装置８に出力する。前記原稿画像データの読出順序は前記図１３Ｂで説明した順序である。
【００７４】
図１１のステップＳＴ１２においてプラテンモードでの原稿読取を行ってからステップＳＴ１３で１頁分の読取終了か否か判断する。イエス（Ｙ）の場合は図１２のステップＳＴ２３に移る。
ステップＳＴ２３において原稿上端はプラテン奥側（後側）か否か判断する。イエス（Ｙ）の場合はステップＳＴ２４に移る。ステップＳＴ２４において原稿の向きは用紙の向きと同じか否か判断する。イエス（Ｙ）の場合はステップＳＴ１４に移る。イエス（Ｙ）の場合はプラテンモードであり、原稿の上端が奥側且つ原稿の向きが用紙の向きと同一ということである。この場合の原稿画像メモリＭからの画像データの読出し順序は前記図５で説明した順序である。
ステップＳＴ１４において、主走査方向の読出順序ＦＳ′は書込時のアドレス順序ＦＳに且つ副走査方向の読出順序ＳＳ′は書込時のアドレス順ＳＳと反転したアドレス順ＳＳ′に原稿画像メモリＭから原稿画像データを読出し、設定された倍率データに変換して、レーザ駆動信号出力装置８に出力する。
【００７５】
前記ステップＳＴ２４においてノー（Ｎ）の場合はステップＳＴ２５に移る。この場合はプラテンモードで、原稿の上端が奥側且つ原稿の向きが用紙の向きと異なるということである。この場合の原稿画像メモリＭからの画像データの読出し順序は前記図１３Ｃで説明した順序である。
すなわち、ステップＳＴ２５において、主走査方向の読出順序ＦＳ′は書込時の副走査方向のアドレス順ＳＳと反転したアドレス順に且つ副走査方向の読出しＳＳ′は書込時の主走査方向ＦＳのアドレス順に、原稿画像メモリＭから原稿画像データを主副の走査方向を入れ替えて読出し、設定された倍率データに変換して、レーザ駆動信号出力装置８に出力する。
【００７６】
前記ステップＳＴ２３においてノー（Ｎ）の場合はステップＳＴ２６に移る。この場合はプラテンモードで、原稿の上端がプラテンガラスの左端に沿って配置されていることになる。
ステップＳＴ２６において原稿の向きは複写用紙の向きと同じか否か判断する。イエス（Ｙ）の場合はステップＳＴ２７に移る。この場合はプラテンモードで原稿Ｇの上端がプラテンガラスＡの左端且つ原稿の向きが用紙の向きと同一ということである。この場合の原稿画像メモリＭからの画像データの読出し順序は前記図１４Ｃで説明した順序である。
ステップＳＴ２７において、主走査方向は書込時のアドレス順ＦＳと反転したアドレス順ＦＳ′（図１４Ｃ参照）に且つ副走査方向は書込時の副走査方向のアドレス順ＳＳと同じアドレス順ＳＳ′に原稿画像メモリＭから原稿画像データを読出し、設定された倍率データに変換して、レーザ駆動信号出力装置８に出力する。
【００７７】
ステップＳＴ２６においてノー（Ｎ）の場合はステップＳＴ２８に移る。この場合はプラテンモードで原稿Ｇの上端がプラテンガラスＡの左端且つ原稿の向きが複写用紙の向きと異なるということである。この場合の原稿画像メモリＭからの画像データの読出し順序は前記図１５Ｃで説明した順序である。
ステップＳＴ２８において、主走査方向の読出順ＦＳ′（図１５Ｃ参照）は書込時の副走査方向のアドレス順ＳＳに且つ副走査方向の読出しは書込時の主走査方向のアドレス順ＦＳと反転したアドレス順ＳＳ′に原稿画像メモリＭから原稿画像データを読出し、設定された倍率データに変換して、レーザ駆動信号出力装置８に出力する。
【００７８】
【発明の効果】
前述の本発明のデジタル複写機は、下記の効果を奏することができる。
（Ｅ０１）ＣＶＴモードおよびプラテンモードを有する複写機において、ＣＶＴモードで原稿を縦にセットして横送りした場合（原稿の上端をプラテンガラスの後端縁（奥側の端縁）にセットした場合）、およびプラテンモードで原稿を縦置き（原稿右端を主走査方向に揃える置き方）した場合のいずれの場合にも、画像の向きが同じ向きの複写用紙を排出することができる。
（Ｅ０２）プラテンモードにおける画像データの書込みおよび読出しアドレス順を変更することにより画像データの読出順序を、使用頻度の多いＣＶＴモードでの画像データの読出順序と同一にしているので、複写物の生産性の低下を防止することができる。
【図面の簡単な説明】
【図１】図１は本発明の実施例１のデジタル複写機Ｆの全体説明図である。
【図２】図２は前記デジタル複写機Ｆの回路構成の説明図である。
【図３】図３は前記実施例１のデジタル複写機Ｆの動作のフローチャートである。
【図４】図４は実施例１のＣＶＴモードの作用１（縦長の原稿Ｇの左端Ｇ２を先頭にして原稿Ｇを搬送する場合のＣＶＴモードの作用）の説明図で、図４Ａは原稿給紙トレイ上の原稿Ｇ搬送方向ＹとプラテンガラスＡの位置関係を示す図であり、図４ＢはプラテンガラスＡ上の原稿の搬送方向を示す図であり図４Ａに示す原稿Ｇが画像面をプラテンガラスＡに向けた状態で搬送される状態を示す図である。
【図５】図５は実施例１のプラテンモードの作用１（プラテンモードＡの左端に原稿Ｇの右端（左端Ｇ２の反対側）を合わせた場合のプラテンモードの作用）の説明図である。
【図６】図６は実施例１のＣＶＴモードの作用２（縦長の原稿Ｇの上端Ｇ１を先頭にして原稿Ｇを搬送する場合のＣＶＴモードの作用）の説明図で、図６Ａは原稿給紙トレイ上の原稿Ｇ搬送方向ＹとプラテンガラスＡの位置関係を示す図であり、図６ＢはプラテンガラスＡ上の原稿の搬送方向を示す図であり図６Ａに示す原稿Ｇが画像面をプラテンガラスＡに向けた状態で搬送される状態を示す図である。
【図７】図７は実施例１のプラテンモードの作用２（原稿下端をプラテンガラス左端に、原稿右端をプラテンガラスＡの奥側に配置した場合のプラテンモードの作用）の説明図である。
【図８】図８は前記実施例２のデジタル複写機Ｆの動作のフローチャートであり、前記実施例１の図３に対応する図である。
【図９】図９は実施例２におけるプラテンモードでの読取原稿の画像データを原稿画像メモリＭに書き込む場合および読出す場合のアドレス指定方法の説明図であり、前記実施例１の図５に対応する図である。
【図１０】図１０は実施例２のデジタル複写機Ｆの回路構成の説明図である。
【図１１】図１１は前記実施例３のデジタル複写機Ｆの動作のフローチャートである。
【図１２】図１２は前記実施例３のデジタル複写機Ｆの動作のフローチャートで、前記図１１の続きのフローチャートである。
【図１３】図１３は実施例３の作用１の説明図で、図１３Ａ、図１３ＢはＣＶＴモードの作用１の説明図、図１３Ｃはプラテンモードの作用１の説明図である。
【図１４】図１４は同実施例３の作用２の説明図で、図１４Ａ、図１４ＢはＣＶＴモードの作用２の説明図、図１４Ｃはプラテンモードの作用２の説明図である。
【図１５】図１５は同実施例３の作用３の説明図で、図１５Ａ、図１５ＢはＣＶＴモードの作用３の説明図、図１５Ｃはプラテンモードの作用３の説明図である。
【図１６】図１６は従来技術の説明図で、Ａ４縦の原稿を原稿上端を先頭にして搬送する場合の前記原稿とプラテンガラスＡとの関係を示す図である。
【図１７】図１７は主走査方向ＦＳに原稿Ｇの上端Ｇ１を合わせた場合のプラテンモードでの原稿走査方法を示す図である。
【図１８】図１８は原稿Ｇの上端Ｇ１を先頭にして原稿Ｇを搬送する場合のＣＶＴモードでの原稿走査方法を示す図である。
【図１９】図１９は従来技術の走査方法、すなわち、ＣＶＴモードにおいて前記図１７に示すプラテンモードの場合と同一の画像形成が行われる場合の走査方法の説明図である。
【図２０】図２０は従来技術の説明図で、Ａ４縦の原稿を原稿左端を先頭にして搬送する場合の前記原稿とプラテンガラスＡとの関係を示す図である。
【図２１】図２１は主走査方向ＦＳに原稿Ｇの右端を合わせた場合のプラテンモードでの原稿走査方法を示す図である。
【図２２】図２２は原稿Ｇの左端Ｇ２を先頭にして原稿Ｇを搬送する場合のＣＶＴモードでの原稿走査方法の説明図で、図２２Ａは原稿給紙トレイ上の原稿Ｇ搬送方向ＹとプラテンガラスＡの位置関係を示す図で、図２２ＢはプラテンガラスＡ上の原稿の搬送方向を示す図であり図２２Ａに示す原稿Ｇが画像面をプラテンガラスＡに向けた状態で搬送される状態を示す図である。
【符号の説明】
Ａ…プラテンガラス、Ａ１…原稿自動読取位置、Ｃ２…走査光学系制御装置（ＩＩＴコントローラ）、Ｆ…デジタル複写機、Ｆ２…自動原稿搬送装置、Ｇ…原稿、Ｈ…用紙搬送装置、ＩＩＴ…原稿読取装置（イメージインプットターミナル）、ＩＰＳ…画像処理回路、Ｍ…原稿画像メモリ、
４…データ入力手段（第１セレクタ）、６…データ出力手段（第２セレクタ）、９…像担持体、１２…転写装置、１４…定着装置、２１…排紙トレイ、２６…原稿給紙トレイ、３９…原稿上端位置入力キー
（８〜１１＋ＲＯＳ）…トナー像形成装置、
（１５〜１９）…給紙トレイ、
【図１】
0003613296.tif 000002
【図２】
0003613296.tif 000003
【図３】
0003613296.tif 000004
【図４】
0003613296.tif 000005
【図５】
0003613296.tif 000006
【図６】
0003613296.tif 000007
【図７】
0003613296.tif 000008
【図８】
0003613296.tif 000009
【図９】
0003613296.tif 000010
【図１０】
0003613296.tif 000011
【図１１】
0003613296.tif 000012
【図１２】
0003613296.tif 000013
【図１３】
0003613296.tif 000014
【図１４】
0003613296.tif 000015
【図１５】
0003613296.tif 000016
【図１６】
0003613296.tif 000017
【図１７】
0003613296.tif 000018
【図１８】
0003613296.tif 000019
【図１９】
0003613296.tif 000020
【図２０】
0003613296.tif 000021
【図２１】
0003613296.tif 000022
【図２２】
0003613296.tif 000023